(57)【要約】  吸収性物品（１）用パッケージング・ユニット（１７）は、自身の折り畳まれたエッジ（４１）がパッケージング・ユニット（１７）に置かれた状態で配置構成された多数の折り畳まれた吸収性物品（１）を備える。パッケージング・ユニット（１７）の一側に配置された、折り畳まれたエッジ（４１）は前記側部（１８）から異なる距離に置かれ、及びパッケージング・ユニットの反対側に配置された、折り畳まれたエッジ（４１）はパッケージング・ユニットの反対側側部（２０）から異なる距離に置かれる。
2007516908.tif 000002
【特許請求の範囲】
【請求項１】
少なくとも１つの側部（１８）を備えるパッケージング・ユニット（１７）であって、このパッケージング・ユニット（１７）は多数の吸収性物品（１）を備え、各吸収性物品（１）は実質的に長手方向に直角な方向の折り目線（４１）に沿って少なくとも１度折り畳まれ、前記物品（１）の折り目線（４１）は前記パッケージング・ユニット（１７）の前記側部（１８）に対して平行に配置され、及び、前記物品（１）の折り目線（４１）は前記パッケージング・ユニット（１７）の前記側部（１８）に対して平行に配置され、及び、前記物品（１）の折り畳み領域（１１）は前記パッケージング・ユニット（１７）の前記側部（１８）に向かって配向されるパッケージング・ユニット（１７）において、
多数の前記吸収性物品（１）から成る前記折り畳み領域（１１）は前記パッケージング・ユニット（１７）の前記側部（１８）から所定の距離に配置され、
多数の前記吸収性物品（１）から成る前記折り畳み領域（１１）は前記パッケージング・ユニット（１７）と直に接触して配置され、及び
前部の長手方向に直角な方向のエッジ（３６）の数と、前記パッケージング・ユニット（１７）の前記第２側部（２０）の後部の長手方向に直角な方向のエッジ（３７）の数と、を加えた数は、前記パッケージング・ユニット（１７）の第２側部（２０）における折り畳み領域（１１）の数の１２０％に等しいに過ぎないことを特徴とするパッケージング・ユニット（１７）。
【請求項２】
前記パッケージング・ユニット（１７）の前記吸収性物品（１）は前記吸収性本体（６）の長手方向で該吸収性物体（６）の実質的に中央に配置された実質的に長手方向に直角な方向の折り目線（４１）の回りで折り畳まれ、
前記パッケージング・ユニッと（１７）の第１側部（１８）におけるこれらの実質的に長手方向に直角な方向の折り目線（４１）によって配向された物品（１）は前記パッケージング・ユニット（１７）の第２側部（２０）から離れる方向に偏倚しており、及び
前記パッケージング・ユニッと（１７）の前記第２側部（１８）におけるこれらの実質的に長手方向に直角な方向の折り目線（４１）によって配向された物品（１）は前記パッケージング・ユニット（１７）の前記第１側部（２０）から離れる方向に偏倚していることを特徴とする、請求項１に記載のパッケージング・ユニット（１７）。
【請求項３】
前記パッケージング・ユニット（１７）の前記吸収性物品（１）は該吸収性本体（６）の長手方向で該吸収性物体（６）の中央から所定の距離に位置する実質的に長手方向に直角な方向の折り目線（４１）の回りで折り畳まれ、
それぞれの前記物品（１）の前部の長手方向に直角な方向のエッジ（３６）及び後部の長手方向に直角な方向のエッジ（３７）の１つのみは前記パッケージング・ユニット（１７）の第１又は第２側部（１８、２０）の何れかに配置されることを特徴とする、請求項１に記載のパッケージング・ユニット（１７）。
【請求項４】
１つ置きの折り畳まれた物品（１）は自身の実質的に長手方向に直角な方向の折り目線（４１）が前記パッケージング・ユニット（１７）の第１側部（１８）にある状態で配向され、及び
１つ置きの他の前記物品（１）は自身の実質的に長手方向に直角な方向の折り畳み線（４１）が前記パッケージング・ユニット（１７）の第２側部（１８）にある状態で配向されることを特徴とする、請求項１から請求項３までのいずれか１項に記載のパッケージング・ユニット（１７）。
【請求項５】
前記物品（１）はサブユニット（４４）で配置され、１つのサブユニット（４４）の１つ置きの前記物品（１）は、これらの実質的に長手方向に直角な方向の折り畳み線（４１）が前記パッケージング・ユニット（１７）の同じ側（１８、２０）にある状態で配置され、
及び、
互いに隣接するサブユニット（４４）はこれらの物品（１）の実質的に長手方向に直角な方向の折り畳み線（４１）が前記パッケージング・ユニット（１７）の異なる側（１８、２０）にある状態で配置されることを特徴とする、請求項１から請求項３までのいずれか１項に記載のパッケージング・ユニット（１７）。
【請求項６】
自身の折り目線（４１）が前記パッケージング・ユニット（１７）の第１側部（１８）にある状態で配置された物品（１）は、自身の折り目線（４１）が前記パッケージング・ユニット（１７）の第２側部（２０）にある状態で配置された物品（１）に対して、５−３０ｍｍの距離、好ましくは５−１５ｍｍの距離だけ偏倚していることを特徴とする、請求項２に記載のパッケージング・ユニット（１７）。
【請求項７】
各サブユニット（４４）は２〜４の物品（１）、好ましくは２つの物品（１）を備えることを特徴とする、請求項５に記載のパッケージング・ユニット（１７）。
【請求項８】
前記物品（１）の実質的に長手方向に直角な方向の折り目線（４１）は前記吸収性本体（６）の長手方向に該吸収性本体（６）の中心から所定の距離に位置し、この結果、前記吸収性本体（６）の前部の長手方向に直角な方向の前記エッジ（３６）と、後部の長手方向に直角な方向の前記エッジ（３７）と、の距離（Ｌ)は、前記物品（１）が折り畳まれる際に、５−３０ｍｍ、好ましくは５−１５ｍｍであることを特徴とする、請求項３に記載のパッケージング・ユニット（１７）。
【請求項９】
前記パッケージング・ユニット（１７）はバッグにパック詰めされることを特徴とする、請求項１から請求項８までのいずれか１項に記載のパッキング・ユニット。
【請求項１０】
前記パッケージング・ユニット（１７）がラッパーによって包まれることを特徴とする、請求項１から請求項９までのいずれか１項に記載のパッキング・ユニット。
【請求項１１】
前記パッケージング・ユニット（１７）が赤ん坊のおむつを含むことを特徴とする、請求項１から請求項１０までのいずれか１項に記載のパッキング・ユニット。
【請求項１２】
前記パッケージング・ユニット（１７）がおむつに含まれることを特徴とする、請求項１から請求項１０までのいずれか１項に記載のパッキング・ユニット。
【発明の詳細な説明】
【技術分野】
【０００１】
本発明は、第１側部及び反対側の第２側部を具備するパッケージング・ユニットに関する。パッケージング・ユニットは多くの折り畳まれた吸収性物品を備え、各吸収性物品は前部端部分、後部端部分、及び端部分間に配置された股部分を具備する。物品は吸収性本体を更に備え、各吸収性物品は前部端部分に配置された前部の長手方向に直角なエッジ、及び物品の後部端部分に配置された後部の長手方向に直角なエッジを備える。各物品は、股部分に配置された実質的に長手方向に直角な方向の折れ目線に沿って折り畳まれる。各物品は折り畳み領域を具備し、多くの物品は自身の折り畳み領域がパッケージング・ユニットの第１側部にある状態で配向され、及び、パッケージング・ユニットの残りの物品は自身の折り畳み領域が該パッケージング・ユニットの第２側部にある状態で配向される。
【背景技術】
【０００２】
吸収性物品の技術分野では、貯蔵及び搬送のための単位体積当りの、例えば、赤ん坊のおむつ又は失禁おむつの、生産物品数を増加させるための相当な努力が長年に亘ってなされてきた。今日では、数年前に同様な寸法のトラックで搬送された２倍の赤ん坊のおむつが該トラックで搬送される。
【０００３】
なお高吸収能力を有するより薄い物品は改良されてきた領域の１つを示す。増大された薄さは、吸収性物品の吸収性コアの濃度を増大させる上で、高吸収性物質とも呼ばれるゲル形成重合体を導入することによって主に達成されてきた。物品は、このように、貯蔵及び搬送の両方の間にこれらの取扱いに関して改善されてきた。より薄い吸収性物品が使用者によって好ましいものともされてきており、そしてこの事実は、勿論、この方向に開発を操るための様々な製造業者を駆り立てた。
【０００４】
物品は今日では過去においてよりもより多く圧縮されるという事実によって薄さが達成されている。従来技術文献は、吸収性物品をどのように効果的に圧縮して向上した薄さを達成する一方で同時に吸収能力を維持し改良することさえも記載する特許文献の１つの例示である（例えば、特許文献１参照）。この特許文献は、高密度レベル（高嵩レベル）までの圧縮に拘わらずに柔軟性及び追従性を維持するために低湿度含有量における吸収性本体を圧縮することを提案する。
【特許文献１】欧州特許第０，１２２，０４２号明細書
【０００５】
吸収性物品をパッケージングするより効果的な方法も開発されてきた。吸収性物品はより大きな圧縮力でパッケージ詰めさえもされている。吸収性物品のスタックをバッグ内に導入する最も普通の方法は、おむつのスタックを圧縮可能にされ、かつ前記おむつと共にバッグ内に導入される、特別の把持装置の使用を含む。この把持装置は、スタックがバッグ内に正確に位置づけられる時に該バッグから自身を取り外すことができるように構成されている。
【０００６】
また、別の従来技術文献は、スタックの効果的な圧縮方法、すなわち、物品と関連する吸収性物品の個々のパッケージング・ユニットがバンド形状ラッパー内に包囲される方法を記載する（例えば、特許文献２参照）。パッケージングの容積は、ラッパータイプの２部分から成るパッケージング・エンベロープと共に一緒に圧縮される、折り畳まれた吸収性物品によって最小化される。最終的に、吸収性物品は、吸収性物品が未だ外部圧縮力下にあるときに互いに連結されるパッケージング・ユニットの２部分によって、圧縮状態に錠止される。
【特許文献２】英国特許第２，２６４，２７８号公報
【０００７】
さらにまた別の従来技術文献は、折り畳まれた吸収性物品が頭部から尾部(head to tail)まで配置される、パッケージング・ユニットを形状構成する改良された方法を記載する（例えば、特許文献３参照）。物品をパッケージング・ユニット内にこのように形状構成することは、パッケージング・ユニット内での或るタイプの吸収性物品のよりきつい圧縮(harder compression)を可能にする。この従来技術文献におけるパッケージング・ユニットを構成する方法は、異なる量の吸収性材料を具備する、すなわち、自身の股領域の厚さと比べた自身の腰領域の異なる厚さを有する物品のために最良に働く。こういった状況は比較的普通である。腰領域と股領域との間の厚さの差は、パッケージング・ユニットが、該パッケージング・ユニット内の反対側表面の股領域と同数の腰領域を具備するという事実によって補償される。最終的な結果は、吸収性物品の股領域及び腰領域は交互に配置される自身の反対側表面で均一の厚さを有するパッケージング・ユニットである。パッケージング・ユニットは、かくして、バッグが平行な不等辺四辺形形状を有することなく、例えば、バッグ内で圧縮され、かつ増大した密度を得ることができる。
【特許文献３】欧州特許第０，７８０，３２５号明細書
【０００８】
欧州特許第０，７８０，３２５号明細書で部分的にのみ解決された課題は、パッケージング・ユニットが圧縮されるときに物品の股部領域の折り畳まれた領域を保護することである。
【０００９】
実質的に長手方向に対して直角な折れ目線周りに一度折り畳まれた吸収性物品を備えるパッケージング・ユニットが材料層に対して直角に圧縮されるとき、折り畳まれた領域は最も敏感な物品領域である。高圧縮は、しばしば、永久的な折り畳み切れ込みが形成されることを意味し、吸収性物品は、この場合、該吸収性物品を使用者が着用するとき、１つ以上の硬く且つ不快なしわを具備する。チャネルが吸収性物品の長手方向に直角な方向に延在し、かつ尿のような様々な体液が吸収性物品内に集められる領域に位置するときに特に残念な事実ではあるが、折り畳み切り込みは液体が伸びることができるチャネルとしても機能する。
【００１０】
パッケージング・ユニットの吸収性物品の他の部分の圧縮、すなわち、材料層に対して直角な圧縮は、何等のしわも創出されないために問題とならない。さらに、吸収性物品に通常に含まれる材料層は、圧縮が材料層に対して直角に起きる限りは、圧縮が止まるときにこれらの材料層の元々の形状構成を回復するかなりの能力を有する。
【発明の開示】
【発明が解決しようとする課題】
【００１１】
パッケージング・ユニットが物品をバッグ内に導入することに関して圧縮されるとき、例えば、あるいは、ラッパー内のエンクロージャと共に圧縮するときに、吸収性物品の折り畳み領域がより良く保護されるパッケージング・ユニッに対する必要性がなお存在する。
【課題を解決するための手段】
【００１２】
導入部で言及したタイプのパッケージング・ユニットは本発明により得られる。このパッケージング・ユニットは従来知られていたパッケージング・ユニットが関連する問題をかなりの範囲まで回避する。
【００１３】
本発明により形成されたパッケージング・ユニットは、吸収性本体の前部の長手方向に直角な方向のエッジの数と、パッケージング・ユニットの第１側部の後部の長手方向に直角な方向のエッジの数と、を加えた数が、パッケージング・ユニットの第１側部の折り畳み領域の数の１２０％に等しく、しかも、吸収性本体の前部の長手方向に直角な方向のエッジの数と、パッケージング・ユニットの第２側部の後部の長手方向に直角な方向のエッジの数と、を加えた数が、パッケージング・ユニットの第２側部の折り畳み領域の数の１２０％に等しい、ことを主たる特徴とする。
【００１４】
パッケージング・ユニット内に物品を形状構成するこの方法によれば、例えば、バッグ内へのパッケージ詰めの間に物品が互いにきつく押圧されるときに永久的な折り畳み切り込みが形成される状態を回避することが可能である。上述した不利点のない貯蔵及び搬送の間の改良された容積の利用方法を伴うより大きなパッケージング詰め密度は、従って、本発明の重要な結果である。
【００１５】
本発明に従う吸収性物品のパッケージング・ユニットは、かくして、自身の折り畳まれたエッジが頭部から尾部までパッケージング・ユニット内にある状態で配置された多数の折り畳まれた吸収性ッ物品を備える。パッケージング・ユニットの一側に配置された、折り畳まれたエッジは前記一側から異なる距離に配置され、及び、パッケージング・ユニットの反対側に配置された、折り畳まれたエッジは前記反対側から異なる距離に配置される。
【００１６】
パッケージング・ユニットの第２実施形態によれば、パッケージング・ユニットの吸収性物品は吸収性本体の長手方向で該吸収性本体の実質的に中心に配置された実質的に長手方向に直角な方向の折れ目線の回りで折り畳まれる。自身の実質的に長手方向に直角な方向の折れ目線がパッケージング・ユニットの第１側部から離れる方向にある状態で配向された物品はパッケージング・ユニットの第２側部から離れる方向に偏倚され、及び、自身の実質的に長手方向に直角な方向の折れ目線がパッケージング・ユニットの第２側部にある状態で配向された物品はパッケージング・ユニットの第１側部から離れる方向に偏倚される。
【００１７】
本発明の１実施形態によれば、１つ置きの折り畳まれた物品は自身の実質的に長手方向に直角な方向の折れ目線がパッケージング・ユニットの第１側部にある状態で配向され、及び１つ置きの他の物品は自身の実質的に長手方向に直角な方向の折り畳み線がパッケージング・ユニットの第２側部にある状態で配向される。
【００１８】
本発明の１つの実施形態では、パッケージング・ユニットの物品はサブユニットに配置される。サブユニットの全ての物品は、自身の長手方向に直角な方向の折れ目線がパッケージング・ユニットの同じ側にある状態で配置される。
【００１９】
互いに隣接するサブユニットは、これらの物品の実質的に長手方向に直角な方向の折れ目がパッケージング・ユニットの異なる側部にある状態で配置される。
【００２０】
各サブユニットは２つ〜４つの物品、本発明の１実施形態によれば好ましくは２つの物品を備える。
【００２１】
１実施形態に従えば、自身の折れ目線がパッケージング・ユニットの第１側部にある状態で配置される吸収性物品は、自身の折れ目線がパッケージング・ユニットの第２側部にある状態で配置された物品に対して、５−３０ｍｍ、好ましくは５−１５ｍｍの距離だけ偏倚される。
【００２２】
別の実施形態によれば、吸収性物品の実質的に長手方向に直角な方向の折れ目線は、吸収性本体の長手方向において吸収性本体の中心から所定の距離に配置される。その結果、前部の長手方向に直角な方向のエッジと後部の長手方向に直角な方向のエッジとの間の距離は、物品が折り畳まれるときに５−３０ｍｍ、好ましくは５−１５ｍｍである。
【００２３】
１つの実施形態に従えば、パッケージング・ユニットはバッグにパッケージ詰めされ、１実施形態では、パッケージング・ユニットはバンド形状ラッパー内に包囲される。
【００２４】
本発明によるパッケージング・ユニットは赤ん坊のおむつ、大人の使用者のための失禁おむつ、あるいは衛生ナプキンを含み得る。
【００２５】
添付図面を参照して以下に本発明を詳細に説明する。
【発明を実施するための最良の形態】
【００２６】
本発明は、多数の折り畳まれた吸収物品１を備える、図３〜図６に示すような、パッケージング・ユニット１７に関する。
【００２７】
本発明によるパッケージング・ユニッと１７に含まれる吸収性物品１は、所謂オール・イン・ワン・タイプのおむつ、パンツ型おむつ、ベルト型おむつ、あるいは衛生ナプキンとし得る。
【００２８】
所謂、パンツ型おむつは、おむつの股部分２３にある実質的に横方向の折り目線４１の回りで、生産時に、既に折り畳まれており、及び、その後、腰で互いに結合されていたという事実によって主に特徴づけられる。折り目線４１に近い領域は患者おむつの折り畳み領域１１を構成する。このタイプのおむつはまさに一対のブリーフのように、すなわち、脚上で引き上げるように、使用者に適用するように構成される。
【００２９】
ベルト型おむつは、これらのおむつが該おむつの吸収性部分に関して、前部又は該おむつの後部横方向エッジの何れかに連結される横方向ベルトを備える。こうしたベルト型おむつを着用する際には、ベルトは、第１段階で、使用者の腰の周りに固定される。おむつの吸収性部分は、この段階では、ベルトから緩く吊り下がっている。おむつの吸収性部分は、その後、使用者の脚の間に案内され、かつベルトに固定される。前記ベルトは自身の自由横方向エッジ近くでおむつの吸収性部分に配置された固定装置にしっかりと固定するように構成された固定表面を備える。
【００３０】
本発明は赤ん坊のおむつ及び上述した様々なタイプの大人のおむつに適用可能である。
本発明は、折り畳まれた状態でパッケージ詰めされ且つ販売されるように構成された、月経用に意図された吸収性物品にも適用可能である。
【００３１】
図１は、本発明によるパッケージング・ユニットに含めることが相応しいおむつ１の主要構成要素を示す。おむつ１は、赤ん坊のための、及び所謂オール・イン・ワン・タイプの開放型おむつである。おむつ１は、この場合、販売時に腰部分で互いに結合されないが、代わりに、赤ん坊の胴体周りに適用され、かつ、その後、腰周りで互いに結合されるように構成される。
【００３２】
おむつ１は実質的に砂時計形状をしており、かつ長手方向エッジ１２、１３、前部横方向エッジ１４、後部横方向エッジ１５、前部及び後部端部分２１、２２、及び端部部分２１、２２間のより狭い股部分２３を具備する。使用中に、股部分２３は赤ん坊のももの間の最も狭い領域に位置するように構成される。
【００３３】
おむつ１を使用する際、股部分２３の前部及び前部端部分２１は尿用受容領域として主に働く一方で、股部分２３の後部及び後部端部分２２は糞用受容領域として主に働く。
【００３４】
おむつ１は、使用中に赤ん坊に向かって面するように構成されたおむつ１の表面に亘って配置された液体浸透可能な被覆シート２を具備する被覆シート１６と、使用中に赤ん坊から離れて面するように構成された物品の表面上に亘って配置された液体浸透可能な裏当てシート４と、液体浸透可能な被覆シート２と裏当てシート４との間に収容された吸収性本体６と、吸収性本体６の外部に配置された側部フラップ３と、を備える。
【００３５】
液体吸収性被覆シート２は吸収性本体６の全外周に沿って該吸収性本体６の外部に延在する。液体吸収性被覆シート２はその目的のために適切な何れかの材料から構成し得る。通常使用される液体浸透可能な被覆材料の実例は不織織物材料、多孔質プラスチックフィルム、プラスチック又は織物製メッシュ、及び液体浸透可能な発泡シートである。液体浸透可能な被覆シート材料は物品の長手方向又は長手方向に直角な横方向に実質的に延在する連続する薄いファイバーから成ることも生じる。
【００３６】
特に高い強度及び摩耗抵抗を有する吸収性本体６を備えるおむつ１は、使用中に赤ん坊に向かって面するおむつの側に余分な液体浸透可能な被覆シートの何れも要さずに機能さえし得る。
【００３７】
裏当てシート４は、吸収性本体６に向かって配置された液体浸透可能なプラスチックフィルム３２を含む薄層３１と、不織シート３３と、から成る。前記不織シート３３は、おむつ１の外部がおむつ１の使用中に衣類により似たものであるように、吸収性本体６から離れて配置される。裏当てシート４は吸収性本体６の全外周に沿って吸収性本体６の外部に延在する。
【００３８】
赤ん坊のおもつ１の裏当てシート４は、通常、液体不浸透性プラスチック材料から成るか、又は液体不浸透性材料プラスチックフィルムが含まれる複数の薄層から成るが、他のタイプの液体不浸透性裏当てシートも可能である。別のタイプの液体不浸透性材料の例は、液体不浸透になされた不織材料、液体不浸透性発泡シート。液体不浸透性接着剤、あるいは類似物である。今日では、裏当てシート４を蒸着浸透性プラスチックフィルム、あるいは蒸着浸透性フィルムが液体バリアとして含まれる薄層から構成することも通常である。蒸着浸透性プラスチックフィルムは、勿論、吸収性本体からの液体の通過を阻止するために液体不浸透性でなければならない。不織シート３３がフック及びループシステムの雄型構成要素用受容シートとして働くように、該不織シート３３は構成される。不織シート３３は、この場合、クローズドループ等から成る。
【００３９】
液体浸透性被覆シート２及び裏当てシート４は、吸収性本体６の全外周に沿って、吸収性本体６の外部で互いに接続される。シート２、４間の接続は多数の異なる方法で行い得る。接続方法の実例は接着、溶融接合、超音波溶接、あるいは類似物である。
【００４０】
使い捨て可能なおむつ１の弾性部材３は、該おむつ１の長手方向に実質的に延在する。使い捨て可能なおむつ１の弾性部材３は、該おむつ１の長手方向に実質的に延在する。弾性部材５は脚部弾性体として働き、かつ液体を防ぎ且つ排泄物が長手方向に延在する側部エッジ１２、１３を通じて外に漏れることを防ぐ役割を有する。このように、これらは周囲の層と共に外側液体バリア８を構成する。弾性部材５は１つ以上の弾性スレッドから成る。これらのスレッドは、伸張状態において、少なくともおむつ１の股部分２３の、液体浸透性シート２と裏当てシート４との間に適用される。弾性部材５は、裏当てシート４及び被覆シート２に、接着剤、超音波溶接又は類似物によって接続される。
【００４１】
別の実施形態では、弾性装置は、使用中の使用者に向かって面するように構成された側部フラップ３の側、あるいは側部フラップの反対側に、配置し得るものであり、かつ、勿論、液体浸透性被覆シート２又は裏当てシート４に接続されるのである。
【００４２】
別の実施形態では、弾性装置は、例えば、発泡体材料製の、弾性バンド材料から構成し得る。
【００４３】
砂時計形状の吸収性本体６は１つ以上のセルロース軟毛パルプの１つ以上の層から作り得る。セルロース軟毛パルプは吸収時に化学的に大量の液体を結合し、こうして液体含有ゲルを構成するタイプの超吸収性重合体材料の繊維又は粒子と混合し得る。吸収性本体内部の層又は該吸収性本体の表面近くに配置された超吸収性重合体材料も含み得る。吸収性本体６は該吸収性本体６の特性を改善するための更なる構成要素も含み得る。こうした構成要素の実例は結合繊維、様々なタイプの液体拡散層又は繊維、形状安定構成要素、補強繊維、あるいは類似物である。吸収性本体６は、勿論、吸収性不織材料、吸収性発泡体、織物材料、あるいは様々なタイプの吸収性材料の混合物のような他のタイプの吸収性材料からも構成し得る。
【００４４】
当該タイプのおむつは大量の液体を迅速に吸収し、これを一時的に貯蔵した後で、一時的に吸収された液体を吸収性本体６の他の部分に通す。こうした層は、通常、おむつ１の液体浸透性被覆シート２と吸収性本体６との間に配置される。受容層は図面の何れにも示されていない。
【００４５】
内側漏出バリア９は緊張した状態の内側側部漏出バリア９に接続された弾性要素２４を備える。弾性要素２４は側部漏出バリア９の近くに配置されることが好ましい。
【００４６】
張力が掛けられた弾性要素２４が解放されたとき、 これらの要素は側部漏出バリア９の自由エッジと共に収縮し、内側側部漏出バリア９は、おむつ１の股部分２３の液体浸透性被覆シート２から直接的に離れた隆起した形状構成物内に運ばれる。ここでは、側部漏出バリア９がこれらそれぞれの固定エッジ１９で被覆シート２に連結されるのみである。
【００４７】
おむつ１の後部及び／又は前部部分２２、２１には、使用者の腰の回りに穏やか且つ柔軟に接近することを可能にするために、おむつ１の前部横方向エッジ１４及び／又は後部横方向エッジ１５に沿って配置された弾性装置から成る、所謂、腰弾性部２５も設け得る。本発明の例示的実施形態では、おむつ１の後部端部分２２のみに、裏当てシート４と液体浸透性被覆シート２との間で接着剤によって固定される弾性発泡材料からなる薄いストリップの形態をした腰弾性部２５が設けられる。腰弾性部２５は、使用者の腰の回りでおむつ１を引っ張る保持力を生成するために薄層間で引っ張られた状態になされている。
【００４８】
後部端部分２２には、１つの固定タブ２６が後部端部分２２の各側部部分に配置された状態で、おむつ１を赤ん坊の腰の回りに固定する２つの柔軟且つ非弾性固定タブ２６が設けられる。固定タブ２６は、例えば、単一の不織層又は薄層のような非常に柔軟且つ非弾的材料から作ることが適切である。使用中に、固定タブ３６は後部端部分２２を前部端部分２１に接続する。
【００４９】
固定タブ２６は固定装置２７を備え、前記固定装置２７はフック及びループシステムから成る雄型部品を成し、かつ接着剤等で固定タブ２６に固定される。固定装置２７は、使用の際に赤ん坊から離れて面する前部端部分２１の表面に向けて面するそれぞれの固定タブ２６の側に配置される。
【００５０】
別の実施形態では、固定タブ２６は弾性的にし得る。固定タブ２６の固定装置２７は、幾つかの実施形態において、フック及びループシステムから成る雌型部品、感圧接着剤等から構成し得る。
【００５１】
おむつ１を赤ん坊の腰の回りに着用する際、後部端部分２２は、固定タブ２６の固定装置２７を前部端部分２１に連結することによって前部端部分２１に連結される。おむつ１は雄型タイプのフック及びループシステム用受容層として働く非不織布として働く非不織層２３を備える裏打ちシート４を具備するから、固定装置２７はおむつ１の裏当てシート４の何れの箇所にも固定し得る。
【００５２】
おむつ１の裏当てシート１が固定タブ２６の固定装置２７と協働するように構成されない別の実施形態では、特別の固定サイトが前部端部分１のおむつ１の裏当てシート４に便宜上配置される。この場合の特別な固定サイトは、適切な形状及び寸法の別々の材料部分から成り、前記材料部分は固定タブ２６の固定装置２７に連結し得る。別々の材料部分は、接着、熱溶接、超音波溶接又は類似物によって裏打ちシート４に貼付される。固定サイトはおむつ１の長手方向に直角な方向に平行且つ近接して配置される。
【００５３】
粘着タイプの固定装置２７を備え、かつ自身の裏当てシート４が不織層３３を備えるおむつ１は、通常、接着固定装置２７を受容するように構成された前部端部分２１の特別な固定サイトを具備する。特別の固定サイトは、プラスチック表面等を備え得るものであり、かつ、通常、接着、加熱溶接、超音波溶接等によって、裏打ちシート４の適切なサイトに貼られてきた適切な形状及び寸法の１つ以上の別々な材料部分から成り得る。
【００５４】
通常、接着性固定装置２７を装備したおむつ１がプラスチック製フィルム等のみから成る裏打ちシート４を具備する。この場合、接着性固定装置２７は裏打ちシート４の何れかのおむつ１の裏打ちシート４に直に固定し得る。
【００５５】
図２は本発明によるパッケージング・ユニット１７に含まれるおむつ１と同様に形状構成されたおむつ１を線図で示す。おむつ１は長手方向に直角な折り目線４１に実質的に沿って２に折り畳まれる。前記折り目線４１はおむつ１の長手方向に、おむつ１の実質的に中央に配置される。おむつ１は折り目線４１の近くに折り畳み領域１１を備える。
【００５６】
おむつ１が線図で示されており、おむつ１の構成要素の幾つかは省略されている。図２に含まれない構成要素の例は固定タブ２６及び腰ゴムひもである。
【００５７】
吸収性本体６はおむつの折り畳み領域１１と一致する折り畳み領域４０を有する。吸収性本体６は前部の長手方向に直角なエッジ３６及び後部の長手方向に直角なエッジ３７を具備する。おむつ１の前部端シール３８は吸収性本体６の前部の長手方向に直角なエッジ３６の外側に配置され、おむつ１の後部端シール３９は後部の長手方向に直角なエッジ３７の外側に配置される。端部シール３８、３９は液体浸透性被覆シート２及び裏当てシート４を備える。２つの前記シート２、４は接着剤によって互いに接続される。別の施形態では、例えば、裏当てシート外部に配置された別々の被覆シートが端部シール３８、３９に含まれ得るような、別の態様で、端部シールは配置し得る。
【００５８】
おむつ１の厚さの大部分を表す、吸収性本体６は、主として、所謂、空気で膨らんだ綿毛パルプから成り、綿毛パルプが折り畳まれる箇所で互いに押圧される場合に永久的な折り畳み切込みに特に敏感である。
【００５９】
特に赤ん坊のために構成された小さなおむつ１の最も普通の状態は、これらのおむつがパッケージ詰めされつつある時に、自身の長手方向に、おむつ１の実質的に中心にある、長手方向に直角な折り目線４１に沿って折り畳まれることである。折り目線４１の周りの折り畳み領域１１は、おむつ１が該おむつ１のパッケージング中に自身の材料に直角な強い圧縮力を受けるときに、こうして永久的な折り畳み切込みの形成に敏感である。永久的な折り畳み切込みの形成に関して特に不利な組合せは高い湿気含有量、すなわち、１０％過度の湿気含有量と組み合わせたおむつ１への強い圧縮力である。
【００６０】
パッケージングの間に強く圧縮されてきたおむつ１が後に使用時に自身のパッケージから取り外される時に、おむつ１が、該おむつ１の使用の間に使用者の股に通常は位置する該おむつ１のこの部分に位置する永久的且つ硬い折り畳み切込みを具備することはまれではない。
【００６１】
図２ａは、本発明による別のパッケージング・ユニット１７に含まれるおむつ１と同一形式に形状構成されたおむつ１を線図的に示す。このおむつ１は実質的に長手方向に直角な折り目線４１に沿って２つにも折り畳まれる。この折り目線４１は、この実施形態では、おむつの長手方向に、おむつ１の中心から所定距離に配置される。この折り畳み方法は、吸収性本体６の前部の長手方向に直角なエッジ３６が該吸収性本体６の後部の長手方向に直角なエッジ３７からより大きな距離に終端する。あるいは、吸収性本体６の後部の長手方向に直角なエッジ３７が吸収性本体６の前部の長手方向に直角なエッジ３６からより大きな距離に終端するようにも折り畳みを配置し得る。
【００６２】
図３は、図２による折り畳まれたおむつ１が本発明の第１実施形態によるパッケージング・ユニット１７内で如何様に形状構成されるかを示し、及び図４はパッケージ４２内に導かれたパッケージング・ユニット１７を示す。パッケージング・ユニット７は８つのおむつ１を備えるが、勿論、より多数又は少数のおむつ１を含み得る。
【００６３】
図４のパッケージ４２はプラスチック又は紙バッグから成り、かつ１つのパッケージング・ユニット１７を含む。別の実施形態では、パッケージ４２は相並んで又は互いに配置された幾つかのパッケージング・ユニット１７を含み得る。相並んで及び幾つかの層が互いの上に載って配置されたパッケージング・ユニット１７を含む大きなパッケージ４２を具備することもできる。
【００６４】
パッケージング・ユニット４２は国際出願ＷＯ９３／１６９２５号派Ｈパンフレットの特許出願明細書に記載のように、バンド形状ラッパー内に別様に同封し得る。このラッパーを設けたパッケージング・ユニットはその後適切な材料から成るバッグに封入し得るか、何れか過剰の被覆材料無しに供給し得る。
【００６５】
本発明による１つ以上のパッケージング・ユニット１７を実質的に空密プラスチックパッケージに真空パックすることも考え得る。
【００６６】
パッケージング・ユニット１７は第１側部１８、及び、該第１側部とは反対側に配置された第２側部２０を備える。パッケージング・ユニット１７内に折り畳まれたおむつ１は頭部から尾部に配向される。すなわち、全てのおむつ１は自身の折り畳み領域１１がパッケージング・ユニット１７の第１側部１８に配置された状態で配向される。全ての他のおむつ１は自身の折り畳み領域１１がパッケージング・ユニット１７の第２側部に配置された状態で配向される。１つ置きのおむつ１の前部及び後部端部分２１、２２はこうしてパッケージング・ユニット１７の第１側部１８に配向される。前部及び後部端部分２１、２２はこうしてパッケージング・ユニット１７の第１側部１８に配置される。従って、おむつ１の吸収性本体６は頭部から尾部に配向される。
【００６７】
パッケージング・ユニット１７は、パッケージング・ユニット１７のおむつ１が該パッケージング・ユニット１７の第１及び第２側部１８、２０で互いに対して偏倚しているという事実によって主に区別される。おむつ１は、それぞれのおむつ１の折り目線４１に対して直角に、折り畳まれたおむつ１の平面内で偏倚している。パッケージング・ユニット１７の第１表面１８においてこれらの折り畳まれた領域１１によって配置されたおむつ１は該パッケージング・ユニット１７の第２表面２０から離れる方向に偏倚しており、及び
パッケージング・ユニット１７の第２表面２０においてこれらの折り畳まれた領域１１によって配置されたおむつ１は該パッケージング・ユニット１７の第１表面１８から離れる方向に偏倚している。
【００６８】
パッケージング・ユニット１７内に頭部から尾部に配置されたおむつ１は互いに対して偏倚されている。その結果、おむつ１の折り畳み領域は頭部から尾部に配向された隣接するおむつ１の吸収性本体６の前部及び後部の長手方向に直角な方向のエッジ３６、３７の外部に突出する。この実施形態におけるおむつ１の折り畳み領域１１は５〜３０ｍｍの距離だけ、好ましくは５〜１５ｍｍの距離だけ、吸収性本体６の前部及び後部の長手方向に直角なエッジ３６，３７の外部に突出する
【００６９】
パッケージング・ユニット１７がパッケージ４２内に導かれるべきとき、パッケージング・ユニット１７のおむつ１は、パッケージ・ユニットの高さＨを最小化し、かつ、従って、出来るだけ小さなパッケージを得るために、出来るだけ互いに押圧される。同時に、圧縮時におむつ１の股部分の永久的に折り畳まれた切込みを回避することを所望するだろう。
【００７０】
圧縮は折り畳まれたおむつ１の材料層に対して直角に行われ、こうして、おむつ１の厚さを減じる。おむつの厚さの減少は吸収性本体６の厚さの減少から生じるのがほとんどである。
【００７１】
おむつ１は互いに対して偏倚されるという事実によって、圧縮される吸収性材料層４３の数はパッケージング・ユニット１７の表面に亘って変動する。これは、前部の長手方向に直角な方向のエッジ３６の数と吸収性本体６の後部の長手方向に直角な方向のエッジ３７の数との和は、パッケージング・ユニット１７の第１及び第２側部１８、２０における折畳み領域１１の数の０％に等しいと言うことによって別の態様に置き替え得る。
【００７２】
パッケージング・ユニット１７の中央部には、各おむつ１が吸収性材料４３の二重層を具備し、及び、パッケージング・ユニットの両側部１８、２０において、当該側部１８、２０における折畳み領域１１を備えるこれらのおむつ１のみが吸収性材料４３の二重層を具備する。
【００７３】
パッケージング・ユニット１７を圧縮する際に、パッケージング・ユニット１７のおむつ１を形状構成するこの方法は、おむつ１の中央部分が、基本的に、パッケージング・ユニット１７の両側部１８、２０に配置されたおむつ１のこれらの部分の２倍程硬く圧縮される。おむつ１の最も敏感な部分、すなわち、おむつ１の折り畳み領域１１は、それぞれの側部１８、２０に配置されるから、パッケージング・ユニット１７におむつ１を配置する方法は、おむつの折り畳み領域における永久的な折り畳み切込みを作り出すことなく該パッケージング・ユニット１７をより硬く圧縮することができることを意味する。増大した圧縮力は、パッケージング・ユニット１７の高さＨを減じる一方で、その幅を僅かに増加させることを意味する。しかしながら、高さＨの減少はパッケージング・ユニット１７の幅の増加を著しく超え、このために、パッケージング・ユニット１７の全容積は減少する。
【００７４】
図５は、本発明の別の第２実施形態によるパッケージング・ユニット１７ではおむつがどのように形状構成されるかを示す。パッケージング・ユニット１７は８つのおむつ１を含むが、別様により多くの又はより小さなおむつ１を含み得る。パッケージング・ユニット１７は、第１側部、該第１側部１８とは反対側に配置された第２側部２０を備える。
【００７５】
パッケージング・ユニット１７のおむつ１は、サブユニット４４内に２つずつ配置され、各個々のサブユニット４４のおむつ１はパッケージング・ユニット１７の同じ側部１８、２０における自身の折り畳み領域によって配向される。別の実施形態では、各サブユニット４４は３つ又は４つのおむつ１を含み得る。この場合には、各サブユニット４４の全てのおむつは同じ方向に配向される。
【００７６】
パッケージング・ユニット１７のサブユニット４４は頭部から尾部に配向される。すなわち、１つ置きのサブユニット４４は自身の折り畳み領域１１がパッケージング・ユニット１７の第１側部１８に配置された状態で配置され、１つ置きの他のサブユニット４４は自身の折り畳み領域１１がパッケージング・ユニット１７の第２側部２０に配置された状態で配置される。それぞれのサブユニット４４では、おむつ１の前部及び後部端部分２１、２２はパッケージング・ユニット１７の反対側部１８、２０に配置される。
【００７７】
パッケージング・ユニット１７のサブユニット４４は、該パッケージング・ユニット１７の第１及び第２側部１８、２０で互いに対して偏倚される。２つのおむつ１を備える、各サブユニット４４は、おむつ１の折り目線４１に対して直角に、折り畳まれたおむつ１の平面で偏倚している。自身の折り畳み領域１１がパッケージング・ユニット１７の第１側部１８にある状態で配置されたおむつ１を含むサブユニット４４は、パッケージング・ユニット１７の第２表面２０から離れる方向に偏倚している。自身の折り畳み領域１１がパッケージング・ユニット１７の第２側部２０にある状態で配置されたおむつ１を含むサブユニット４４は、パッケージング・ユニット１７の第１表面１８から離れる方向に偏倚している。
【００７８】
パッケージング・ユニット１７内に頭部から尾部まで配置されたサブユニット４４は、互いに対して偏倚されており、その結果、これらのサブユニットに含まれるおむつ１の折り畳み領域１１が頭部から尾部に配向された隣接するサブユニット４４に属するおむつ１の吸収性本体６の前部及び後部の長手方向に直角な方向のエッジ３６、３７から外部に突出する。最終的に、前部の長手方向に直角な方向のエッジ３６の数と吸収性本体６の後部の長手方向に直角な方向のエッジ３７の数との和は、パッケージング・ユニット１７の第１及び第２側部１８、２０における折畳み領域１１の数の０％に等しい。
【００７９】
この実施形態におけるこの折り畳み領域１１は、隣接するサブユニット４４に属する吸収性本体６の前部及び後部の長手方向に直角なエッジ３６、３７から、５−３０ｍｍの距離Ｔだけ、好ましくは５−１５ｍｍの距離だけ突出する。
【００８０】
実施形態によるパッケージング・ユニット１７がバッグ内に導入されるべき際、あるいはパッケージング・ユニット１７の周りにラッパーを貼り付ける際には、これは、上述した実施形態１によるパッケージング・ユニット１のための同じ方法で行われる。
【００８１】
おむつ１の最も敏感な部分、すなわち、おむつ１の折り畳み領域１１はサブユニット４４に含まれるおむつ１の１つの折り畳み領域１１が一方向に膨張し得る一方で、全パッケージが圧縮される際に、他のおむつ１の折り畳み領域が反対方向に膨張し得る、という事実によって、永久的な折り畳み切込みから保護される。
【００８２】
図６は、図２ａによるおむつ１が、本発明の第３の別の実施形態によるパッケージング・ユニット１７でどのように形状構成されるかを示す。パッケージング・ユニット１７は８つのおむつ１を含むが、あるいは、より多くのおむつ１又はより少ないおむつ１を含み得る。
【００８３】
パッケージング・ユニット１７は第１側部１８、及び第１側部１８とは反対側に配置された第２側部２０を備える。パッケージング・ユニット１７の折り畳まれたおむつ１は頭部から尾部まですなわち、１つ置きのおむつ１は自身の折り畳み領域１１がパッケージング・ユニット１７の第１側部１８に配置された状態で配向され、及び１つ置きの他のおむつ１は自身の折り畳み領域１１がパッケージング・ユニット１７の第２側部２０に配置された状態で配向される。全ての第２おむつ１の前部及び後部端部分２１、２２はパッケージング・ユニット１７の第１側部１８にこのように配置され、及び１つ置きの他のおむつの前部及び後部端部分２１、２２はパッケージング・ユニット１７の第２側部２０に配置される。
【００８４】
各おむつ１は、該おむつ１の長手方向に直角な方向の中央線から、長手方向に、所定の距離に配置された長手方向に直角な線４１に沿って折り畳まれる。吸収性本体６の前部及び後部端部分の長手方向に直角なエッジ３６、３７間の距離が、それぞれのおむつ１の長手方向に、５−３０ｍｍ、好ましくは５−１５ｍｍであるように、折り畳み部は配置される。吸収性本体６の前部の長手方向に直角な方向のエッジ３６及び後部の長手方向に直角な方向のエッジ３７は互いに対して偏倚しているため、この実施形態におけるパッケージング・ユニット１７は、パッケージング・ユニットの中央部分に存在するような、パッケージング・ユニット１７の第１及び第２側部１８、２０で、吸収性材料４３の層の数の４分の３のみである。
【００８５】
これを別の方法で表現するために、前部の長手方向に直角な方向のエッジ３６の数と吸収性本体６の後部の長手方向に直角な方向のエッジ３７との和は、パッケージング・ユニット１７の第１及び第２側部１８、２０における折り畳み領域１１の数と同じで、すなわち１００％である。
【００８６】
パッケージング・ユニット１７の圧縮に際して、パッケージング・ユニット１７のおむつ１を形状構成するこの方法は、パッケージング・ユニット１７の両側面１８、２０に配置されるおむつ１のそれらの部分より硬く圧縮されることを意味する。おむつ１はこのようにかなり硬く圧縮し得る。何故なら、おむつ１の最も敏感な部分、すなわち折り畳み領域１１は、おむつ１の他の部分ほど硬く圧縮されない。
【００８７】
本発明は、記載した例示的実施形態の全ての考え得る組合せも含む。さらにまた、本発明は上述した例示的実施形態に限定されず、及び、代わりに、添付の本願特許請求の範囲の範囲内で、勿論、他の実施形態に適用し得る。
【図面の簡単な説明】
【００８８】
【図１】本発明によるパッケージング・ユニットに含め得るおむつを示す図である。
【図２】本発明によるパッケージング・ユニットに含めるように形状構成されたおむつを示す図である。
【図２ａ】本発明によるパッケージング・ユニットに含めるように、異なる態様で、形状構成されたおむつを示す図である。
【図３】本発明によるパッケージング・ユニットの第１実施形態を示す図である。
【図４】本発明によるパッケージング・ユニットを備えるパッケージングを示す図である。
【図５】本発明によるパッケージング・ユニットの第２実施形態を示す図である。
【図６】本発明による
【符号の説明】
【００８９】
１  おむつ（吸収性物品）
２  被覆シート
３  側部フラップ
４  裏当てシート
５  弾性部材
６  吸収性本体
７  パッケージング・ユニット
８  外側液体バリア
９  内側側部漏出バリア
１１  折り畳み領域
１２、１３  長手方向エッジ
１４  前部横方向エッジ
１５  後部横方向エッジ
１６  被覆シート
１７  パッケージング・ユニット
１８  第１側部
１９  固定エッジ
２０  第２側部
２１  前部端部分
２２  後部端部分
２３  股部分
２４  弾性要素
２５  腰弾性部
２６  固定タブ
２７  固定装置
３１  薄層
３２  プラスチック製フィルム
３３  不織シート
３６  前部の長手方向に直角な方向のエッジ
３７  後部の長手方向に直角な方向のエッジ
３８  前部端シール
３９  後部端シール
４０  折り畳み領域
４１  折り目線
４２  パッケージ
４３  吸収性材料
４４  サブユニット
【図１】
2007516908.tif 000003
【図２】
2007516908.tif 000004
【図２ａ】
2007516908.tif 000005
【図３】
2007516908.tif 000006
【図４】
2007516908.tif 000007
【図５】
2007516908.tif 000008
【図６】
2007516908.tif 000009
【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
少なくとも１つの側部（１８）を備えるパッケージング・ユニット（１７）であって、このパッケージング・ユニット（１７）は多数の吸収性物品（１）を備え、各吸収性物品（１）は実質的に長手方向に直角な方向の折り目線（４１）に沿って少なくとも１度折り畳まれ、前記物品（１）の折り目線（４１）は前記パッケージング・ユニット（１７）の前記側部（１８）に対して平行に配置され、及び、前記物品（１）の折り目線（４１）は前記パッケージング・ユニット（１７）の前記側部（１８）に対して平行に配置され、及び、前記物品（１）の折り畳み領域（１１）は前記パッケージング・ユニット（１７）の前記側部（１８）に向かって配向されるパッケージング・ユニット（１７）において、
多数の前記吸収性物品（１）から成る前記折り畳み領域（１１）は前記パッケージング・ユニット（１７）の前記側部（１８）から所定の距離に配置され、
多数の前記吸収性物品（１）から成る前記折り畳み領域（１１）は前記パッケージング・ユニット（１７）と直に接触して配置され、及び
前部の長手方向に直角な方向のエッジ（３６）の数と、前記パッケージング・ユニット（１７）の前記第２側部（２０）の後部の長手方向に直角な方向のエッジ（３７）の数と、を加えた数は、前記パッケージング・ユニット（１７）の第２側部（２０）における折り畳み領域（１１）の数の１２０％に等しいに過ぎず、
前記パッケージング・ユニット（１７）の前記吸収性物品（１）は前記吸収性本体（６）の長手方向で該吸収性物体（６）の実質的に中央に配置された実質的に長手方向に直角な方向の折り目線（４１）の回りで折り畳まれ、
前記パッケージング・ユニッと（１７）の第１側部（１８）におけるこれらの実質的に長手方向に直角な方向の折り目線（４１）によって配向された物品（１）は前記パッケージング・ユニット（１７）の第２側部（２０）から離れる方向に偏倚しており、
前記パッケージング・ユニッと（１７）の前記第２側部（１８）におけるこれらの実質的に長手方向に直角な方向の折り目線（４１）によって配向された物品（１）は前記パッケージング・ユニット（１７）の前記第１側部（２０）から離れる方向に偏倚しており、
前記物品（１）の実質的に長手方向に直角な方向の折り目線（４１）は前記吸収性本体（６）の長手方向に該吸収性本体（６）の中心から所定の距離に位置し、この結果、前記吸収性本体（６）の前部の長手方向に直角な方向の前記エッジ（３６）と、後部の長手方向に直角な方向の前記エッジ（３７）と、の距離（Ｔ)は、前記物品（１）が折り畳まれる際に、５−３０ｍｍ、好ましくは５−１５ｍｍであることを特徴とするパッケージング・ユニット（１７）。
【請求項２】
前記パッケージング・ユニット（１７）の前記吸収性物品（１）は該吸収性本体（６）の長手方向で該吸収性物体（６）の中央から所定の距離に位置する実質的に長手方向に直角な方向の折り目線（４１）の回りで折り畳まれ、
それぞれの前記物品（１）の前部の長手方向に直角な方向のエッジ（３６）及び後部の長手方向に直角な方向のエッジ（３７）の１つのみは前記パッケージング・ユニット（１７）の第１又は第２側部（１８、２０）の何れかに配置されることを特徴とする、請求項１に記載のパッケージング・ユニット（１７）。
【請求項３】
全ての第２の折り畳まれた物品（１）は自身の実質的に長手方向に直角な方向の折り目線（４１）が前記パッケージング・ユニット（１７）の第１側部（１８）にある状態で配向され、及び
全ての他の前記物品（１）は自身の実質的に長手方向に直角な方向の折り畳み線（４１）が前記パッケージング・ユニット（１７）の第２側部（１８）にある状態で配向されることを特徴とする、請求項１または請求項２に記載のパッケージング・ユニット（１７）。
【請求項４】
前記物品（１）はサブユニット（４４）で配置され、１つのサブユニット（４４）の全ての前記物品（１）は、これらの実質的に長手方向に直角な方向の折り畳み線（４１）が前記パッケージング・ユニット（１７）の同じ側（１８、２０）にある状態で配置され、
及び、
互いに隣接するサブユニット（４４）はこれらの物品（１）の実質的に長手方向に直角な方向の折り畳み線（４１）が前記パッケージング・ユニット（１７）の異なる側（１８、２０）にある状態で配置されることを特徴とする、請求項１から請求項３までのいずれか１項に記載のパッケージング・ユニット（１７）。
【請求項５】
各サブユニッと（４４）は２〜４の物品（１）、好ましくは２つの物品（１）を備えることを特徴とする、請求項４に記載のパッケージング・ユニット（１７）。
【請求項６】
前記物品（１）の実質的に長手方向に直角な方向の折り目線（４１）は前記吸収性本体（６）の長手方向に該吸収性本体（６）の中心から所定の距離に位置し、この結果、前記吸収性本体（６）の前部の長手方向に直角な方向の前記エッジ（３６）と、後部の長手方向に直角な方向の前記エッジ（３７）と、の距離（Ｌ)は、前記物品（１）が折り畳まれる際に、５−３０ｍｍ、好ましくは５−１５ｍｍであることを特徴とする、請求項２に記載のパッケージング・ユニット（１７）。
【請求項７】
前記パッケージング・ユニット（１７）はバッグにパック詰めされることを特徴とする、請求項１から請求項６までのいずれか１項に記載のパッキング・ユニット。
【請求項８】
前記パッケージング・ユニット（１７）がラッパーによって包まれることを特徴とする、請求項１から請求項７までのいずれか１項に記載のパッキング・ユニット。
【請求項９】
前記パッケージング・ユニット（１７）が赤ん坊のおむつを含むことを特徴とする、請求項１から請求項８までのいずれか１項に記載のパッケージング・ユニット（１７）。
【請求項１０】
前記パッケージング・ユニット（１７）が失禁おむつを含むことを特徴とする、請求項１から請求項８までのいずれか１項に記載のパッケージング・ユニット（１７）。
【国際調査報告】
2007516908.tif 000010
2007516908.tif 000011
2007516908.tif 000012
2007516908.tif 000013